(57)【要約】着地の衝撃を吸収するソール１と、足の甲を包むアッパー２と、前記アッパー２を足の甲にフィットさせるためのシューレース手段３とを有し、前記アッパー２は、足の内側面、外側面、爪先、甲および背面を覆う主部２Ｍと、複数の第１ハトメＨ１を有する側縁部と、前記足の内側面を覆う第１サイドパネル５１と、前記足の外側面を覆う第２サイドパネル５２とを備え、前記各サイドパネルは、前記サイドパネルの先端に設けられ前記シューレース手段が通過すると共に係合する第２ハトメＨ２を有する先端部５３と、前記主部および／または前記ソールに付着される下端部５４と、前記先端部と前記下端部との間に配置され前記先端部が前記下端部に対して足の前後方向に移動するのを許容する中間部５５とを備え、前記両サイドパネルのうちの少なくとも一方のサイドパネルは、前記先端部から前記下端部までの長さが大きくなるように前記中間部５５が伸縮する。
2011004618.tif 000002
【特許請求の範囲】
【請求項１】
紐締めフィッティング構造を備えた靴であって、
着地の衝撃を吸収するソールと、足の甲を包むアッパーと、前記アッパーを足の甲にフィットさせるためのシューレース手段とを有し、
前記アッパーは、着用時に脚が上方に出る第１開口と、前記第１開口の前方に設けられた第２開口とを有しており、前記２つの開口は、前後に互いに連なっており；
前記アッパーは、
足の内側面、外側面、爪先、甲および背面を覆う主部と、
前記第２開口の側縁に沿って設けられ前記シューレース手段が通過すると共に係合する複数の第１ハトメを有する側縁部と、
前記主部の内部または外部の空間において前記内側面に沿って上方ないし斜め上方に向って前記足の内側面を覆う第１サイドパネルと、
前記主部の内部または外部の空間において前記外側面に沿って上方ないし斜め上方に向って前記足の外側面を覆う第２サイドパネルとを備え、ここにおいて、
前記各サイドパネルは、前記サイドパネルの先端に設けられ前記シューレース手段が通過すると共に係合する第２ハトメを有する先端部と、
前記主部および／または前記ソールに付着される下端部と、
前記先端部と前記下端部との間に配置され前記先端部が前記下端部に対して足の前後方向に移動するのを許容する中間部とを備え、
ここにおいて、前記両サイドパネルのうちの少なくとも一方のサイドパネルは、前記先端部から前記下端部までの長さが大きくなるように前記中間部が伸縮する。
【請求項２】
請求項１の靴において、足の前後方向において前記第２ハトメが第１趾の中足趾節間関節から第４趾のリスフラン関節までの間にのみ配置されており、前記第１趾の中足趾節間関節よりも前方および第４趾のリスフラン関節よりも後方には配置されていない。
【請求項３】
請求項２の靴において、前記両サイドパネルの双方において、前記先端部から前記下端部までの長さが大きくなるように前記中間部が伸縮する。
【請求項４】
請求項３の靴において、前記足の内側の第２ハトメが第１趾の中足趾節間関節よりも後方で、かつ、前記第１趾の中足骨の骨底よりも前方の位置にのみ配置され、
前記外側の第２ハトメが第４趾の中足趾節間関節よりも後方で、かつ、前記第４趾の中足骨の骨底よりも前方の位置にのみ配置されている。
【請求項５】
請求項１の靴において、前記第２ハトメは足の内側において１個のみ設けられ、かつ、足の外側において１個のみ設けられている。
【請求項６】
請求項２の靴において、足の内側において前記第２ハトメは１個もしくは２個設けられ、かつ、３個以上設けられておらず、
足の外側において前記第２ハトメは１個もしくは２個設けられ、３個以上設けられていない。
【請求項７】
請求項６の靴において、前記第２ハトメが内側または外側に複数設けられ、前記内側または外側の複数の第２ハトメの間には前記第１ハトメが設けられている。
【請求項８】
紐締めフィッティング構造を備えた靴であって、
着地の衝撃を吸収するソールと、足の甲を包むアッパーと、前記アッパーを足の甲にフィットさせるためのシューレース手段とを有し、
前記アッパーは、着用時に脚が上方に出る第１開口と、前記第１開口の前方に設けられた第２開口とを有しており、前記２つの開口は、前後に互いに連なっており；
前記アッパーは、
足の内側面、外側面、爪先、甲および背面を覆う主部と、
前記第２開口の側縁に沿って設けられ、前記シューレース手段が通過すると共に係合する複数の第１ハトメおよび１以上の第２ハトメをそれぞれ有する第１および第２側縁部とを備え、ここにおいて、
足の屈曲時に前記第２側縁部が前記主部に対して足の周方向、前方および後方に移動できるように、前記両側縁部および主部よりも伸縮し易く、かつ、前記足の屈曲時に前記第２側縁部の少なくとも周方向の近傍において前記足の周方向に伸縮可能で、かつ、前記第２側縁部の前方および後方において前後方向に伸縮可能な状態で配置された伸縮部を介して前記第２側縁部が前記主部に繋がっており、
前記伸縮部よりも伸縮し難い前記主部は足の外側において第５趾のリスフラン関節および中足骨骨底を覆い、前記主部は足の内側において第１趾の中足骨の骨底および／または骨頭を覆っている。
【請求項９】
請求項８の靴において、足の前後方向において前記第２ハトメが第１趾の中足趾節間関節から第４趾のリスフラン関節までの間にのみ配置されており、前記第１趾の中足趾節間関節よりも前方および第４趾のリスフラン関節よりも後方には配置されていない。
【請求項１０】
請求項９の靴において、前記１以上の第２ハトメは複数個の第２ハトメからなり、前記第２ハトメが足の内側と外側の前記第２側縁部に各々設けられている。
【請求項１１】
請求項１０の靴において、前記足の内側の第２ハトメが第１趾の中足趾節間関節よりも後方で、かつ、前記第１趾の中足骨の骨底よりも前方の位置にのみ配置され、
前記外側の第２ハトメが第４趾の中足趾節間関節よりも後方で、かつ、前記第４趾の中足骨の骨底よりも前方の位置にのみ配置されている。
【請求項１２】
請求項８の靴において、前記第２ハトメは足の内側において１個のみ設けられ、かつ、足の外側において１個のみ設けられている。
【請求項１３】
請求項９の靴において、足の内側において前記第２ハトメは１個もしくは２個設けられ、かつ、３個以上設けられておらず、
足の外側において前記第２ハトメは１個もしくは２個設けられ、かつ、３個以上設けられていない。
【請求項１４】
請求項１３の靴において、前記第２ハトメが内側または外側に複数設けられ、前記内側または外側の複数の第２ハトメの間には前記第１ハトメが設けられている。
【請求項１５】
請求項８の靴において、前記伸縮部は前記第２側縁部を前方、後方および下方から囲んでおり、
前記第２側縁部の前方および後方において前記第２開口の側縁に沿って配置された第１部と、
前記第２側縁部の下方に配置された第２部とを備え、前記第１部が前記第２部よりも伸縮しにくい。
【請求項１６】
請求項１５の靴において、前記第２開口は前記第１部の部位において湾曲しており、前記第１部は前記第２開口に沿って湾曲しており、
ここにおいて、前記湾曲した第１部は直線状に変形することで前記前後方向に伸び、かつ、前記湾曲した第１部の曲率が大きくなることで前記前後方向に縮む。
【請求項１７】
請求項８の靴において、前記伸縮部は前記足の内側面または外側面の一部を覆い、かつ、前記内側面および外側面において、前記アッパーの主部を横断しておらず、
前記伸縮部の下方において、前記主部における前記伸縮部よりも前方の部位と前記主部における前記伸縮部よりも後方の部位とが前記伸縮部よりも伸縮しにくい部材を介して連なっている。
【発明の詳細な説明】
【技術分野】
【０００１】
本発明は紐締めフィッティング構造を備えた靴に関する。
【背景技術】
【０００２】
シューレースはアッパーを足にフィットさせる。足にフィットしたアッパーは足を支持する。【０００３】
しかし、ＭＰ関節の背屈時に足の形状が変化し、そのため、足囲も変化する。また、靴を長時間着用すると、足囲が大きくなることが多い。このような場合、靴の中の足はアッパーによって圧迫されるであろう。また、動作中に靴と足との間にズレが生じやすい。
【先行技術文献】
【特許文献】
【０００４】
【特許文献１】特開２００６−２５８（要約）
【特許文献２】特開平１１−１８８０３号（要約）
【特許文献３】実公昭３３−５２４０号（第１図）
【特許文献４】実公平５−９８４３号（第３図）
【特許文献５】EPO 329,392 A2(abstract)
【特許文献６】特開平４−４４７０１号（第２頁右上欄）
【特許文献７】WO 2004/93587 A1、US 2006/0162190 A1(abstract)
【０００５】
文献１の靴において、伸縮性のアッパーの内側には非伸縮性のベルトが固着されており、非伸縮性のベルトがアッパーの伸びを妨げる。この文献１の靴において、前記非伸縮性のベルトの先端にハトメ（ループ）が設けられており、したがって、着用中にハトメが足の周方向に移動することはないだろう。
また、ベルトが互いに前後方向に連なっており、かつ、アッパーの伸縮部材にベルトの先端が付着されており、そのため、ベルトの自由な変位が妨げられるだろう。【０００６】
文献２の靴は足長方向のサイズが可変である。足長方向のサイズを可変とするために、この靴においては、アッパーの前後方向に伸縮自在な可撓性布部が中足部に設けられている。可撓性布部は前記周方向には伸縮しない。そのため、可撓性布部に設けられたハトメは周方向に移動しないから、着用中に足が圧迫されるだろう。【０００７】
文献３の靴は前足の側面に広い伸縮片を有する。広い伸縮片は足に圧迫を感じさせにくいかもしれない。しかし、広い伸縮片は足の側面を支えることができないだろう。
また、ハトメ飾りは前後に連なっているので、ハトメは前後に移動しないだろう。したがって、ハトメの自由な移動が妨げられる。【０００８】
文献４のハトメ部材は、ショア硬度が９０〜１００の樹脂で形成されている。ショア硬度が９０〜１００の樹脂は殆ど伸びないだろう。【０００９】
文献５の靴は伸びない支持スターラップにより後足を支持する。【００１０】
文献６の靴はアッパーの内皮と外皮との間に挟まれた一対のサイドパネル（緊締帯）を有する。各サイドパネルはゴムシートや伸縮布で構成されていてもよく、各々３つのハトメを有する。この文献６の靴は、人の足囲（周長）の大きさに応じてサイドパネルが周方向に伸縮して緊締するのを狙っている。【００１１】
しかし、文献６の発明は同公報の（第１頁右欄や）第２頁右下欄に記述されているように、シューレースで連結されたサイドパネルが甲皮上を前後に移動せず、足の甲の規定の位置を確実に緊締することを目的としており、かつ、サイドパネルが幅広であり、したがって、サイドパネルに形成したハトメは足の前後方向の移動が全く意図されておらず、実質的に移動しないと考えられる。
また、この文献６の発明において、ゴムシートや伸縮布で構成されたサイドパネルは足の側面の広い部分を覆っており、また、中足骨よりも後方の部位まで覆っている。そのため、アッパーによる着用者の足の保持や支持機能が損なわれるだろう。【００１２】
文献７の靴においては、ループからなるハトメが伸縮部の近傍に設けられている。同文献７のＦＩＧ．５を見ると、ループが伸縮部に接続されているように見えるが、同文献のＦＩＧ．３〜６を見て分るとおり、ループはアッパーの硬い部位に設けられている。【００１３】
そのため、同文献のループからなるハトメは周方向に移動することができない。
【発明の概要】
【発明が解決しようとする課題】
【００１４】
本発明の目的は足を安定した状態で支持すると共に、足囲の変化した場合の足への圧迫および／または動作中の靴と足とのズレを減少させる靴を提供することである。
【課題を解決するための手段】
【００１５】
本発明のある態様の靴は、紐締めフィッティング構造を備えた靴であって、着地の衝撃を吸収するソールと、足の甲を包むアッパーと、前記アッパーを足の甲にフィットさせるためのシューレース手段とを有し、前記アッパーは、着用時に脚が上方に出る第１開口と、前記第１開口の前方に設けられた第２開口とを有しており、前記２つの開口は、前後に互いに連なっており；前記アッパーは、足の内側面、外側面、爪先、甲および背面を覆う主部と、前記第２開口の側縁に沿って設けられ、前記シューレース手段が通過すると共に係合する複数の第１ハトメおよび１以上の第２ハトメをそれぞれ有する第１および第２側縁部とを備え、ここにおいて、足の屈曲時に前記第２側縁部が前記主部に対して足の周方向、前方および後方に移動できるように、前記両側縁部および主部よりも伸縮し易く、かつ、前記足の屈曲時に前記第２側縁部の少なくとも周方向の近傍において前記足の周方向に伸縮可能で、かつ、前記第２側縁部の前方および後方において前後方向に伸縮可能な状態で配置された伸縮部を介して前記第２側縁部が前記主部に繋がっており、前記伸縮部よりも伸縮し難い前記主部は足の外側において第５趾のリスフラン関節および中足骨骨底を覆い、前記主部は足の内側において第１趾の中足骨の骨底および／または骨頭を覆っている紐締めフィッティング構造を備えている。
【発明の効果】
【００１６】
本態様の場合、足の屈曲や長時間の着用で生じた足囲の変化に応じて、伸縮部が足の周方向に伸縮する。そのため、アッパーが足にフィットし易い。
また、足の前後方向についても第２ハトメが移動することで、アッパーのフィット性能が更に向上するだろう。
すなわち、第２ハトメは足の周方向および前後方向の双方に移動する。【００１７】
本発明において、前記アッパーが足にフィットする効果が得られるためには、第２側縁部が本質的に伸縮部のみを介して主部に繋がっている必要がある。たとえば、伸縮部を海と考え、主部を陸と考えた場合、第２側縁部は陸である主部に対し島状に配置される。伸縮し難い１つの第２側縁部に複数のハトメが形成されていてもよいが、この場合も前記第２側縁部は前記主部に対し島状に配置されている必要がある。【００１８】
また、本発明において、前記第２ハトメを周方向に引っ張った場合に、伸縮部の伸びが少なくとも２．０ｍｍ以下の範囲において、好ましくは３．０ｍｍ以下の範囲において伸縮部が塑性変形しない（弾性変形する）場合に前記効果が十分に得られるだろう。【００１９】
また、本発明において、第２ハトメを前後方向に変位（移動）させた場合に、前記移動量が０．５ｍｍ以下の範囲において好ましくは１．０ｍｍ以下の範囲において、伸縮部に塑性変形が本質的に生じない場合に前記効果が十分に発揮されるだろう。【００２０】
弾性域において、ある程度の伸びや変位が得られないと、足囲の変化した場合に第２ハトメが２方向（周方向および前後方向）に移動しないからである。【００２１】
また、本質的に伸縮しない主部が足の外側において第５趾のリスフラン関節および中足骨骨底を覆い、かつ、前記主部が足の内側において第１趾の中足骨の骨底および／または骨頭を覆う。そのため、足の支持が安定する。【００２２】
本発明において、「シューレース手段」の用語はシューレースが１本のみではなく、２本以上設けられる場合を含むことを意味する。【００２３】
本発明において、「ハトメ」の用語はシューレースが通過する孔自体を意味する。
したがって、本発明の「ハトメ」にはループ材からなるハトメ部材で形成された貫通孔が含まれ、また、Ｕ字状の金具や樹脂などからなるハトメ部材で形成されたハトメが含まれる。【００２４】
本発明において、伸縮し易い伸縮部は、素材のヤング率が小さいゴム弾性を有するシートや帯状部材の他に、本質的に伸縮性を有しない素材に円形、長円形、方形の複数の貫通孔が千鳥状に形成されて伸縮性が発現されたものでもよい。また、伸縮部は伸縮性を有する２枚の布帛状部材が二重に重ねられて形成されてもよい。【００２５】
本発明において、伸縮部よりも伸縮し難い主部は、伸縮性のあるメッシュ材を非伸縮性のテープ材で拘束して本質的に伸縮しないようにしてもよい。
【図面の簡単な説明】
【００２６】
【図１】図１は本発明の第１実施例の靴を示す概略斜視図である。
【図２】図２は同実施例の靴を着用して踵を上げた背屈状態における靴を示す概略斜視図である。
【図３】図３は同実施例の靴と足の骨格との関係を足の内側から見た状態で示す概略側面図である。
【図４】図４は同実施例の靴と足の骨格との関係を足の外側から見た状態で示す概略側面図である。
【図５】図５は同実施例の靴の内部を足の内側から見た概略斜視図である。
【図６】図６は同実施例の靴の内部を足の外側から見た概略斜視図である。
【図７】図７は同実施例の靴を足の内側から見た概略側面図である。
【図８】図８は同実施例の靴を着用して踵を上げた背屈状態における靴を示す概略側面図である。
【図９】図９は同実施例の靴を第２ハトメおよびサイドパネルを含む部位で切断して示すアッパーの横断面図である。
【図１０】図１０は第２実施例の靴を示す概略斜視図である。
【図１１】図１１は同実施例の靴を第２ハトメおよびサイドパネルを含む部位で切断して示すアッパーの横断面図である。
【図１２】図１２は本発明の第３実施例の靴を示す概略斜視図である。
【図１３】図１３は同実施例の靴と足の骨格との関係を足の内側から見た状態で示す概略側面図である。
【図１４】図１４は同実施例の靴と足の骨格との関係を足の外側から見た状態で示す概略側面図である。
【図１５】図１５Ａは同実施例の靴を第２ハトメおよび伸縮部を含む部位で切断して示すアッパーの横断面図、図１５Ｂは同実施例の靴を補強材および伸縮部を含む部位で切断して示すアッパーの横断面図である。
【図１６】図１６は本発明の第４実施例の靴を内側前方から見て示す概略斜視図である。
【図１７】図１７は同実施例の靴を外側前方から見て示す概略斜視図である。
【図１８】図１８は同実施例の靴と足の骨格との関係を足の内側から見た状態で示す概略側面図である。
【図１９】図１９は同実施例の靴と足の骨格との関係を足の外側から見た状態で示す概略側面図である。
【図２０】図２０Ａは同実施例の靴を第２ハトメを含む伸縮部の部位で切断して示すアッパーの横断面図、図２０Ｂは同実施例の靴を補強部を含む伸縮部の部位で切断して示すアッパーの横断面図である。
【図２１】図２１Ａ、図２１Ｂおよび図２１Ｃは、それぞれ、試験例１、２および３の靴において、踵の上昇量Ｈとハトメ間の距離の変化量ΔＤとの関係を示すグラフである。
【図２２】図２２Ａおよび図２２Ｂは、それぞれ、試験例４および比較例の靴において、踵の上昇量Ｈとハトメ間の距離の変化量ΔＤとの関係を示すグラフである。
【図２３】図２３Ａ、図２３Ｂ、図２３Ｃ、図２３Ｄ、図２３Ｅ、図２３Ｆおよび図２３Ｇは、それぞれ、試験例１１，１２，１３，１４，１５，１６および１７の第２ハトメに相当する部位を示す平面図である。
【図２４】図２４は官能試験の結果を示す図表である。
【図２５】図２５Ａ、図２５Ｂ、図２５Ｃおよび図２５Ｄは、それぞれ、試験例１１，１２，１７および１６の靴について、踵の上昇量Ｈとハトメ間の距離の変化量ΔＤとの関係を示すグラフである。
【図２６】図２６Ａおよび図２６Ｂは、それぞれ、試験例１１〜１７に用いた靴においてハトメと足の骨格との位置関係を示す内側面図および外側面図である。
【発明を実施するための形態】
【００２７】
本態様の好ましい実施例においては、足の前後方向において前記第２ハトメが第１趾の中足趾節間関節（いわゆるＭＰ関節）から第４趾のリスフラン関節までの領域のみに配置されている。
【００２８】
この場合、前記領域はアッパーのフィット性能に大きな影響を与える。したがって、かかる領域に第２ハトメが配置された場合、前記アッパーのフィット性能が高まるだろう。
また、この場合、前記第１趾のＭＰ関節よりも前方や第４趾のリスフラン関節の後方に、前記第２ハトメが配置されていない。そのため、アッパーによる足の支持が不安定になるおそれがない。
【００２９】
別の好ましい実施例においては、前記第２ハトメが足の内側と外側に各々設けられている。
【００３０】
第２ハトメが一対設けられた場合、一対の第２ハトメの位置が各々変化することが可能である。したがって、アッパーのフィット性能が更に高くなるだろう。
【００３１】
更に好ましい実施例においては、前記足の内側の第２ハトメが第１趾の中足趾節間関節よりも後方で、かつ、前記第１趾の中足骨の骨底よりも前方の位置にのみ配置され、前記外側の第２ハトメが第４趾の中足趾節間関節よりも後方で、かつ、前記第４趾の中足骨の骨底よりも前方の位置にのみ配置されている。
【００３２】
本態様において、かかる位置に第２ハトメが配置された場合、一対の第２ハトメが足囲の変化に応じて足の周方向に移動する。
この移動は、第２ハトメに係合するシューレース手段の張力の変化が増大するのを抑制するだろう。それ故、アッパーのフィット性が高いだろう。
また、前記の位置以外に第２ハトメが配置されていない場合、足の支持が不安定になりにくい。
【００３３】
本態様の好ましい実施例において、足の内側において前記第２ハトメは１個もしくは２個設けられ、かつ、３個以上設けられておらず、足の外側において前記第２ハトメは１個もしくは２個設けられ、かつ、３個以上設けられていない。
【００３４】
第２ハトメが足の内側や外側に３個以上設けられると、足の支持が不安定になったり、コストアップの原因となる。したがって、足の内外の一方につき、第２ハトメは２個以下が好ましい。
また、前記第２ハトメはシューレースによるアッパーの緊締を緩くする。
したがって、前記第２ハトメの数は前記第１ハトメの数よりも少ないのが好ましいだろう。
更に、前記第２ハトメの数は、足の内側および外側において各々、１個のみであるのがより好ましいと推測される。
かかる観点から、第２開口の前後方向の前半部と後半部の各々において、前記第１ハトメが互いに対向するように配置されるのが好ましいだろう。
また、第１ハトメは足の保持を安定させる。したがって、前記第２ハトメが内側または外側に複数設けられ、前記内側または外側の複数の第２ハトメの間には前記第１ハトメが設けられていてもよい。
【００３５】
本態様の別の好ましい実施例においては、前記伸縮部は前記第２側縁部を前方、後方および下方から囲んでおり、前記第２側縁部の前方および後方において前記第２開口の側縁に沿って配置された第１部と、前記第２側縁部の下方に配置された第２部とを備え、前記第１部が前記第２部よりも伸縮しにくい。
【００３６】
この実施例の場合、第２部よりも伸縮しにくい第１部によって第２側縁部が前後方向に移動する最大量を規制したり、あるいは、シューレースの締結時に第２側縁部が前後方向に不用意に移動するのを抑制することができる。したがって、伸縮部の第２部を伸び易い小さな剛性にすることが可能である。
【００３７】
更に好ましい実施例において、前記第２開口は前記第１部の部位において湾曲しており、前記第１部は前記第２開口に沿って湾曲しており、ここにおいて、前記湾曲した第１部は直線状に変形することで前記前後方向に伸び、かつ、前記湾曲した第１部の曲率が大きくなることで前記前後方向に縮む。
【００３８】
これにより、伸縮しにくい第１部を容易かつローコストで制作することができる。
【００３９】
本態様の別の好的な実施例においては、前記伸縮部は前記足の内側面または外側面の一部を覆い、かつ、前記内側面および外側面において、前記アッパーの主部を横断しておらず、前記伸縮部の下方において、前記主部における前記伸縮部よりも前方の部位と前記主部における前記伸縮部よりも後方の部位とが前記伸縮部よりも伸縮しにくい部材を介して連なっている。
【００４０】
この場合、伸縮部はアッパーの側面を横断していないから、伸縮部をアッパーのいずれの部位に設けても、伸縮部により足の支持が不安定となるのを抑制し得る。
【００４１】
この場合、必要に応じてアッパーを足にフィットさせるためにアッパーの主部を横断する別の伸縮部が設けられてもよい。
【００４２】
更に、前記別の伸縮部を足の内側に設け、この別の伸縮部に、別の第２ハトメを有する別の第２側縁部を設けてもよい。
【００４３】
本発明の別の態様の靴は、紐締めフィッティング構造を備えた靴であって、着地の衝撃を吸収するソールと、足の甲を包むアッパーと、前記アッパーを足の甲にフィットさせるためのシューレース手段とを有し、前記アッパーは、着用時に脚が上方に出る第１開口と、前記第１開口の前方に設けられた第２開口とを有しており、前記２つの開口は、前後に互いに連なっており；前記アッパーは、足の内側面、外側面、爪先、甲および背面を覆う主部と、前記第２開口の側縁に沿って設けられ前記シューレース手段が通過すると共に係合する複数の第１ハトメを有する側縁部と、前記主部の内部または外部の空間において前記内側面に沿って上方ないし斜め上方に向って前記足の内側面を覆う第１サイドパネルと、前記主部の内部または外部の空間において前記外側面に沿って上方ないし斜め上方に向って前記足の外側面を覆う第２サイドパネルとを備え、ここにおいて、前記各サイドパネルは、前記サイドパネルの先端に設けられ前記シューレース手段が通過すると共に係合する第２ハトメを有する先端部と、前記主部および／または前記ソールに付着される下端部と、前記先端部と前記下端部との間に配置され前記先端部が前記下端部に対して足の前後方向に移動するのを許容する中間部とを備え、ここにおいて、前記両サイドパネルのうちの少なくとも一方のサイドパネルは、前記先端部から前記下端部までの長さが大きくなるように前記中間部が伸縮する紐締めフィッティング構造を備えている。
【００４４】
本態様の場合、足囲の変化に対しサイドパネルの中間部が伸縮する。本サイドパネルの前記中間部は足の内外の側面に沿って長く設けられることが可能であり、そのため、剛性の高い部材で中間部を形成しても中間部の伸縮量が大きい。したがって、アッパーのフィット性能が高い。
また、サイドパネルの先端部が下端部を中心に回転することで、足の前後方向にも第２ハトメが移動する。したがって、アッパーのフィット性能が更に高まるだろう。
すなわち、第２ハトメは足の周方向および前後方向の双方に移動する。
【００４５】
伸び易い伸縮部は主部とは別のサイドパネルに設けられる。したがって、伸び難い主部による足の支持が安定する。
【００４６】
本態様において、サイドパネルは主部の内部または外部の空間に設けられる。
【００４７】
本発明において、主部の内部の空間とは、主部で定義される空間を意味し、主部の外装材よりも内の空間をいい、内装材が存在する場合には内装材と外装材との間の空間を含む。したがって、主部が外装材と内装材とを有する場合には、各パネルは内装材と外装材との間に配置されていてもよい。つまり、各パネルが内装材を介して足の側面や甲に接する場合も本発明に含まれる。また、パネルは内装材で構成されてもよい。
【００４８】
本発明において、主部の外部の空間にサイドパネルが設けられた場合、サイドパネルは主部を介して足の側面に巻き付く。この場合も、サイドパネルの伸縮部が伸縮することによりフィット性能が向上する。
しかし、サイドパネルが足の側面に接するようにサイドパネルが設けられているのが好ましい。この場合は、足囲の変化に対し直ちにサイドパネルが伸びる。
【００４９】
本態様において、足の前後方向において前記第２ハトメが第１趾のＭＰ関節から第４趾のリスフラン関節までの領域にのみ配置されているのが好ましい。
【００５０】
本態様によれば、前記領域はアッパーのフィット性能に大きな影響を与える。したがって、かかる領域に第２ハトメが配置された場合、前記アッパーのフィット性能が高まるだろう。
【００５１】
別の好ましい実施例では、前記両サイドパネルの双方において、前記先端部から前記下端部までの長さが大きくなるように前記中間部が伸縮する。
本態様によれば、伸縮する中間部が一対設けられた場合、一対の中間部の長さが足囲の変化に応じて大きく変化することが可能である。したがって、アッパーのフィット性能が更に高くなるだろう。
【００５２】
更に好ましい実施例では、前記足の内側の第２ハトメが第１趾の中足趾節間関節よりも後方で、かつ、前記第１趾の中足骨の骨底よりも前方の位置にのみ配置され、前記外側の第２ハトメが第４趾の中足趾節間関節よりも後方で、かつ、前記第４趾の中足骨の骨底よりも前方の位置にのみ配置されている。
【００５３】
本態様によれば、かかる位置に第２ハトメが配置された場合、一対の中間部が足囲の変化に応じて足の周方向に伸縮する。この伸縮は、第２ハトメに係合するシューレース手段の張力の変化が増大するのを抑制するだろう。それ故、アッパーのフィット性能が高いだろう。
また、前記の位置以外に第２ハトメが配置されていない場合、足の支持が不安定になりにくい。
【００５４】
本態様の好ましい実施例において、足の内側において前記第２ハトメは１個もしくは２個設けられ、かつ、３個以上設けられておらず、足の外側において前記第２ハトメは１個もしくは２個設けられ、かつ、３個以上設けられていない。
【００５５】
第２ハトメが足の内側や外側に３個以上設けられると、足の支持が不安定になったり、コストアップの原因となる。したがって、足の内外の一方につき、第２ハトメは２個以下が好ましい。
また、前記第２ハトメはシューレースによるアッパーの緊締を緩くする。
したがって、前記第２ハトメの数は前記第１ハトメの数よりも少ないのが好ましいだろう。
更に、前記第２ハトメの数は、足の内側および外側において各々、１個のみであるのがより好ましいと推測される。
かかる観点から、第２開口の前半部と後半部の各々において、前記第１ハトメが互いに対向するように配置されるのが好ましいだろう。
前記第２ハトメが内側または外側に複数設けられ、前記内側または外側の複数の第２ハトメの間には前記第１ハトメが設けられていてもよい。
【実施例】
【００５６】
本発明は、添付の図面を参考にした以下の好適な実施例の説明からより明瞭に理解されるであろう。しかしながら、実施例および図面は単なる図示および説明のためのものであり、本発明の範囲は請求の範囲によって定まる。添付図面において、複数の図面における同一の部品番号は、同一または相当部分を示す。【００５７】
第１実施例：
以下、本発明の第１実施例が図１〜図９を参照して説明される。
以下の説明では、左足用の靴が例示される。また、以下の図において、矢印ＯＵＴは靴の外側方向、矢印ＩＮは靴の内側方向を示す。【００５８】
靴の全体構造：
図１に示す紐締めフィッティング構造を備えた靴は、ソール１、アッパー２およびシューレース３を備えている。
ソール１は着地の衝撃を吸収するものである。アッパー２は足の甲を包むもので、舌片４（主部の一部）を有している。シューレース３はアッパー２を足の甲にフィットさせるためのものである。
図１および図２において、前記シューレース３の両端部分は図示が省略されているが、アッパー２内に足を挿入した後に、前記端部同士は互いに固く結ばれる。シューレース３の端部同士が互いに結ばれることにより、アッパー２が足に対しタイトな状態でフィットする。
なお、シューレース３の各端部はアッパー２に設けた固定具に固く止められてもよい。【００５９】
アッパー２は、第１開口Ｐ１と第２開口Ｐ２とを備えている。第１開口Ｐ１は着用時に脚Ｌｅが上方Ｚ１に出る開口である。
図３および図４に示すように、第２開口Ｐ２は第１開口Ｐ１の前方Ｙ１、すなわち、足の爪先Ｔに向って設けられた開口である。第２開口Ｐ２はアッパー２の上部において、前後方向Ｙに長く設けられている。前記２つの開口Ｐ１，Ｐ２は互いに連なっている。前記舌片４は前記第２開口Ｐ２を下方Ｚ２から閉じ、足の甲Ｉｓを上方から覆う。【００６０】
アッパー２：
図５および図６において、前記アッパー２は、メインアッパー（主部）２Ｍ、側縁部２０、第１および第２サイドパネル５１，５２を備えている。【００６１】
メインアッパー２Ｍ；
前記メインアッパー２Ｍは、図３の足の内側面Ｓ１、図４の外側面Ｓ２、爪先Ｔ、甲Ｉｓおよび背面Ｂを覆う。メインアッパー２Ｍには、前記第１開口Ｐ１および第２開口Ｐ２が形成されており、前記第２開口Ｐ２の前端において連なる前記舌片４が含まれる。【００６２】
前記側縁部２０は前記第２開口Ｐ２の側縁に沿って前記第２開口Ｐ２を囲うように設けられている。前記側縁部２０は前記シューレース３が通過すると共に係合する複数の第１ハトメＨ１を有する。前記側縁部２０は、たとえば人工皮革やテープ材のような本質的に伸びない素材で形成されている。前記第１ハトメＨ１は前記側縁部２０に形成された小孔からなる。【００６３】
前記メインアッパー２Ｍの内外の側面２１，２２には、たとえば、図７および図８の内側面図において明示するように、メインアッパー２Ｍの一部を構成するメッシュ部材の表面に多数本のテープ材２ｔが縫着されて補強されてなる。これらのテープ材２ｔは本質的に伸びない素材で形成されており、これにより、メインアッパー２Ｍの内側面２１および図１の外側面２２が足の前方Ｙ１および後方Ｙ２や周方向Ｒに本質的に伸びない。
なお、前記テープ材２ｔは周知の構造であり、図１〜図６において図示が省略ないし簡略化されている。【００６４】
図９において、前記各サイドパネル５１，５２は第２ハトメＨ２を有する。前記各サイドパネル５１，５２は先端部５３と、ソール１およびメインアッパー２Ｍに固着された下端部５４と、前記先端部５３と下端部５４との中間部５５とが一体に連なってなる。
前記先端部５３は前記中間部５５および下端部５４を介してのみ前記メインアッパー２Ｍおよびソール１に繋がっている。なお、下端部５４はソール１に固着されずにメインアッパー２Ｍに縫着されていてもよい。【００６５】
前記先端部５３において、サイドパネル５１，５２の一部を構成するテープ材にはハトメ部材５３ａが縫着されている。図１〜図８において、前記サイドパネル５１，５２のハトメ部材５３ａが設けられていない部位については網点が施されている。【００６６】
前記第２ハトメＨ２は前記先端部５３およびハトメ部材５３ａに形成された小孔からなり、図１の前記シューレース３が通過すると共に係合する。
なお、図１においては第１ハトメＨ１および第２ハトメＨ２には、ハトメの前後方向Ｙの位置を区別するために、前から後に向って順に下付数字が付されているが、各実施例の説明や図２以後においては下付数字が省略される。【００６７】
図３の第１サイドパネル５１は帯状に形成されており、前記メインアッパー２Ｍの内部の空間において前記内側面Ｓ１に沿って上方ないし斜め上方（前方に行くに従い斜め上方）に向って前記足の内側面Ｓ１に巻き付き、内側面Ｓ１の一部を覆う。
図４の第２サイドパネル５２は帯状に形成されており、前記メインアッパー２Ｍの内部の空間において前記外側面Ｓ２に沿って上方ないし斜め上方に向って前記足の外側面Ｓ２に巻き付き、外側面Ｓ２の一部を覆う。【００６８】
前記中間部５５は前記先端部５３と前記下端部５４との間に配置され、図５および図６に明示するように、メインアッパー２Ｍに付着されていない。したがって、中間部５５は前記先端部５３が前記下端部５４に対して足の前後方向Ｙに移動するのを許容する。一方、各サイドパネル５１，５２の中間部５５は伸縮部を構成しており、以下に説明するように、前記先端部５３から前記下端部５４までの長さが大きくなるように伸縮する。【００６９】
ここで、前記各サイドパネル５１，５２のテープ材およびハトメ部材５３ａは、本質的に伸びない素材で形成されている。
しかし、図５の前記各サイドパネル５１，５２の中間部５５には、図３および図４に明示するように、千鳥状に複数の円形の貫通孔５５ｈが形成されている。前記サイドパネル５１，５２の延びる方向に大きな引張力が負荷されると、前記貫通孔５５ｈの形状が楕円形に変化すると共に、中間部５５が足の周方向に伸びる。【００７０】
図３の前記内側の第２ハトメＨ２は第１趾ｆ１のＭＰ関節ＭＰ1から第１趾ｆ１のリスフラン関節ＬＪまでの領域に配置されている。好ましくは、図３の前記足の内側の第２ハトメＨ２は第１趾ｆ１の中足骨Ｂ４1の骨頭Ｂ４1ｈよりも後方Ｙ２で、かつ、前記第１趾ｆ１の中足骨Ｂ４1の骨底Ｂ４1ｂよりも前方Ｙ１の位置に配置される。
一方、図４の前記外側の第２ハトメＨ２は第４趾ｆ４の中足骨Ｂ４4の骨頭Ｂ４4ｈよりも後方Ｙ２で、かつ、前記第４趾ｆ４の中足骨Ｂ４4の骨底Ｂ４4ｂよりも前方Ｙ１の位置に配置されるのが好ましい。
図３および図４に示すように、第２ハトメＨ２の前方Ｙ１には少なくとも内外一対の第１ハトメＨ１を設けるのが好ましく、複数対の第１ハトメＨ１を設けるのが更に好ましい。
また、第２ハトメＨ２の後方Ｙ２には少なくとも内外一対の第１ハトメＨ１を設けるのが好ましく、複数対の第１ハトメＨ１を設けるのが更に好ましい。
第１ハトメＨ１に挿通されたシューレースによりアッパーが緊締され、これにより支持が安定する。【００７１】
図３の前記第１サイドパネル５１は下端部５４から先端部５３に行くに従い斜め前方の上方に向って延びている。前記第１サイドパネル５１の中間部５５は第１趾ｆ１の中足骨Ｂ４1の骨頭Ｂ４1ｈよりも後方Ｙ２で、かつ、前記第１趾ｆ１の中足骨Ｂ４1の骨底Ｂ４1ｂよりも前方Ｙ１の部位（第１趾ｆ１の中足骨Ｂ４1の骨体）に沿って配置されている。【００７２】
一方、図４の前記第２サイドパネル５２は下端部５４から先端部５３に行くに従い斜め前方の上方に向って延びている。前記第２サイドパネル５２の中間部５５は第４趾ｆ４の中足骨Ｂ４4の骨頭Ｂ４4ｈよりも後方Ｙ２で、かつ、前記第４趾ｆ４の中足骨Ｂ４4の骨底Ｂ４4ｂよりも前方Ｙ１の部位（第４趾ｆ４の中足骨Ｂ４4の骨体）に沿って配置されている。【００７３】
第２実施例：
図１０および図１１は第２実施例を示す。【００７４】
本第２実施例において、メインアッパー２Ｍはサイドパネル５１，５２の中間部５５を収容する袋状の収容部２９を有する。前記サイドパネル５１，５２の先端部５３は、前記収容部２９から突出している。【００７５】
図１１の前記メインアッパー２Ｍの内外の側面２１，２２は、それぞれ、表面材２３と裏面材２４とが、図１０に示すように、互いに縫合されて形成されている。前記互いに縫合された２つの部材２３，２４の間に前記収容部２９が形成されている。【００７６】
前記各サイドパネル５１，５２は前記収容部２９の形状に沿った帯状に形成されている。【００７７】
前記サイドパネル５１，５２としては、前記第１実施例と同様に中間部５５に貫通孔５５ｈが形成された伸縮部を有していてもよいし、あるいは、前記貫通孔５５ｈを形成する代わりにゴム弾性を持つ樹脂テープで形成されてもよい。
なお、「ゴム弾性」とは、加硫ゴムのように、大きな塑性変形を生じることなく繰り返し伸び縮み（弾性変形）可能な性質を意味する。【００７８】
本第２実施例のその他の構成は、前記第１実施例と同様であり、同一部分もしくは相当部分に同一符号を付して、その説明を省略する。【００７９】
第３実施例：
つぎに、第３実施例が図１２〜図１５Ｂを参照して説明される。【００８０】
本第３実施例において、第１ハトメＨ１はメインアッパー２Ｍの第１側縁部２０Ａに設けられ、一方、第２ハトメＨ２はメインアッパー２Ｍに連なる第２側縁部２０Ｂに設けられている。前記第２側縁部２０Ｂの一部を形成するハトメ部材５３ｂは伸縮部５で囲われている。【００８１】
図１２〜図１４において、前記伸縮部５の部位には網点が施されている。前記内外の一対の伸縮部５，５は第２開口Ｐ２を間にして互いに対向している。【００８２】
本質的に伸縮しない前記メインアッパー２Ｍには切欠き２５が形成されており、当該切欠き２５の部位に前記伸縮部５が設けられている。図１５Ａに示す前記ハトメ部材５３ｂは、前記伸縮部５を構成する部材５７、５８の上に縫着されており、前記第２側縁部２０Ｂは前記部材５７，５８およびハトメ部材５３ｂが重ね合わされた部位からなり、前記伸縮部５を介してのみメインアッパー２Ｍに連なっている。【００８３】
つまり、図１２の前記伸縮部５は第２側縁部２０Ｂの周囲を囲っており、前記伸縮部５を海、メインアッパー２Ｍを陸とすると、第２側縁部２０Ｂは陸であるメインアッパー２Ｍに対し島のように配置されている。すなわち、前記伸縮部５を介してのみ前記第２側縁部２０Ｂがメインアッパー２Ｍに繋がっている。【００８４】
前記伸縮部５よりも伸縮し難い前記メインアッパー２Ｍは、図１４の足の外側において第５趾ｆ５のリスフラン関節ＬＪおよび中足骨骨底Ｂ４5ｂを覆い、図１３の前記メインアッパー２Ｍは足の内側において第１趾ｆ１の中足骨の骨底Ｂ４1ｂおよび骨頭Ｂ４1ｈを覆っている。【００８５】
図１３および図１４に明示するように、本実施例では、前記伸縮部５はソール１まで延びておらず、前記伸縮部５の下方において前記メインアッパー２Ｍは前後方向Ｙに連なっている。したがって、前記伸縮部５の伸縮し易い部材であっても、また、２つの伸縮部５，５が互いに対向する位置に配置されていても足の支持が安定する。【００８６】
なお、メインアッパー２Ｍは足の内側において第１趾の中足骨の骨底Ｂ４1ｂまたは骨頭Ｂ４1ｈの一方のみを伸縮しない部材で覆い、他方を伸縮性のある部材で覆っていてもよい。【００８７】
図１５Ａに示すように、たとえば、前記伸縮部５は伸縮可能なメッシュ状の生地５８とゴム弾性を持つ樹脂シート５７とが伸縮しないテープ材２ｔにおいて縫合されていてもよい。【００８８】
図１４の前記伸縮部５は、前記第２側縁部２０Ｂの前後において伸縮部５を補強する第１部５０と該第１部５０以外の伸縮部５からなる第２部５９とを備える。前記第１部５０は伸縮部５の側縁に沿って湾曲しており、切り欠かれたように窪んでいる。前記第１部５０は図１５Ｂに示すように前記樹脂シート５７の上に補強材５０ａが接着および縫着されてなる。前記湾曲した第１部５０の補強材５０ａは前記第２部５９よりも伸びにくい素材で形成されているが、前後方向Ｙに直線状に伸びたり、曲率が大きくなって縮むことが可能であり、第１部５０の一部を構成している。前記第１部５０は前記第２側縁部２０Ｂが前後方向Ｙに移動するのを抑制して、第２ハトメＨ２が小さな力で前後方向Ｙに移動するのを防止したり、あるいは、前後方向の移動量の最大量を規制する。したがって、第２ハトメＨ２は前後方向Ｙよりも周方向Ｒに移動し易い。
前記第２部５９は前記前後方向Ｙおよび周方向Ｒの双方に伸縮可能である。【００８９】
図１２において、足の屈曲時に前記第２側縁部２０Ｂが前記メインアッパー２Ｍに対して足の周方向Ｒ（図示せず）、前方Ｙ１および後方Ｙ２に移動できるように、前記伸縮部５の第１部５０および第２部５９は前記両側縁部２０Ａ，２０Ｂおよびメインアッパー２Ｍよりも伸縮し易く、かつ、前記足の屈曲時に前記第２側縁部２０Ｂの周方向の近傍、つまり、前記第２部５９が前記足の周方向Ｒおよび前後方向Ｙに伸縮可能で、かつ、前記第２側縁部２０Ｂの前方Ｙ１および後方Ｙ２において前記第１部５０が前後方向Ｙに伸縮可能な状態で配置されている。
なお、第１部５０を形成する補強材５０ａを設ける必要はない。【００９０】
本第３実施例のその他の構成は前記第１実施例と同様であり、同一部分もしくは相当部分に同一符号を付して、その説明を省略する。【００９１】
第４実施例：
つぎに、第４実施例が図１６〜図２０を参照して説明される。【００９２】
本第４実施例において、第１ハトメＨ１はメインアッパー２Ｍの第１側縁部２０Ａに設けられ、一方、第２ハトメＨ２は内外側の伸縮部５Ａ，５Ｂのうちの外側の伸縮部５Ｂに設けられている。
なお、伸縮部５Ａ，５Ｂの部位には網点が施されている。【００９３】
図１８の足の内側において、前記伸縮部５Ａを除くメインアッパー２Ｍは、つまり、伸縮部５Ａ，５Ｂよりも伸び難いメインアッパー２Ｍは第１趾ｆ１の中足骨の骨底Ｂ４1ｂおよび骨頭Ｂ４1ｈを覆っている。一方、前記メインアッパー２Ｍは、図１９の足の外側において、第５趾ｆ５のリスフラン関節ＬＪおよび中足骨骨底Ｂ４5ｂを覆っている。【００９４】
図１６に示すように、前記伸縮部５Ａと伸縮部５Ｂとは、第２開口Ｐ２を隔てて互いに斜向いの位置に配置されている。図１７および図１８の前記各伸縮部５Ａ，５Ｂは、アッパー２の内外の側面を横断している。【００９５】
図１８および図１９に示すように、伸縮部５Ａ，５Ｂの上端には、第１部５０が設けられている。前記伸縮部５Ｂの第１部５０は、前記第２側縁部２０Ｂが前後方向Ｙに移動するのを許容すると共に規制し、かつ、第２側縁部２０Ｂが周方向Ｒ（図示せず）に移動するのを妨げにくい。
これにより、第２ハトメＨ２は前後方向Ｙよりも周方向Ｒに移動し易い。【００９６】
本第４実施例のその他の構成は、前記第１実施例と同様であり、同一部分もしくは相当部分に同一符号を付して、その説明を省略する。【００９７】
つぎに、本発明の効果を明瞭にするために試験例および比較例について行った試験結果を示す。
まず、以下に示す試験例１〜４および比較例の靴を用意した。【００９８】
試験例１：図１〜図９に示した実施例１の靴を作成し、この靴を試験例１とした。【００９９】
試験例２：図１０および図１１に示した実施例２の靴を作成し、この靴を試験例２とした。この試験例２ではサイドパネルに比較的低剛性の素材を採用した。【０１００】
試験例３：図１０および図１１に示した実施例２の靴を作成し、この靴を試験例３とした。この試験例３ではサイドパネルに比較的高剛性で、かつ、ゴム弾性を有する素材を採用し、更に、サイドパネルに貫通孔を千鳥状に形成した。【０１０１】
試験例４：図１６〜図２０に示した実施例４の靴を作成し、この靴を試験例４とした。【０１０２】
比較例：図１２〜図１５に示した実施例３において、伸縮部に相当する部位の伸縮材の裏面に本質的に伸びない織布を裏打ちし、これを比較例とした。なお、この比較例では伸縮部に相当する部位は実質的に伸びない。【０１０３】
前記各試験例および比較例の靴のハトメの近傍にマーカーを貼付し、各靴を図７のように足に装着し、以下に示すＤ1〜Ｄ6の距離を測定した。
Ｄ1は内外の第１ハトメＨ１1の近傍に貼付したマーカー間の距離である。
Ｄ2は内外の第１ハトメＨ１2の近傍に貼付したマーカー間の距離である。
Ｄ3は内外の第２ハトメＨ２3の近傍に貼付したマーカー間の距離である。
Ｄ4は内外の第１ハトメＨ１4の近傍に貼付したマーカー間の距離である。
Ｄ5は内外の第１ハトメＨ１5の近傍に貼付したマーカー間の距離である。
Ｄ6は内外の第１ハトメＨ１6の近傍に貼付したマーカー間の距離である。【０１０４】
ついで、図７の状態から図８のようにＭＰ関節を背屈させて踵を上昇させながら前記マーカー間の距離を測定器で測定し、前記踵が２０ｍｍ上昇する度の前記マーカー間の距離Ｄiを求めた。この測定を各試験例および比較例について行った。【０１０５】
前記各サンプルについて、Ｄ1〜Ｄ6の変化量ΔＤ1〜ΔＤ6を算出し、その結果を各サンプルごとに図２１Ａ〜図２１Ｃ、図２２Ａおよび図２２Ｂに示す。
この結果について、以下に考察が説明される。【０１０６】
図２２Ｂの比較例において、第２ハトメＨ２3間の距離の変化量ΔＤ3は２％を超えているのに対し、図２１Ａ〜図２１Ｃおよび図２２Ａの各試験例においてはΔＤ3が±０．５％程度以下になった。
これは、図８の踵を上昇させた時の足囲の変化に応じて、伸縮部が伸縮したためであると考えられる。【０１０７】
また、比較例の各変化量ΔＤ1〜ΔＤ6の総量ΣΔＤ（変化量ΔＤｉの絶対値の総和）は試験例のそれΣΔＤに比べ大きい。これは、足の踵を持ち上げた際に、距離Ｄ3〜Ｄ6に相当する部位に存在する長母趾伸筋腱や内側、中間、外側の楔状骨及び舟状骨が足の甲から前方に向って迫り出し、前記Ｄ3〜Ｄ6の距離が伸び、一方、前記Ｄ3〜Ｄ6の距離の伸びによりＭＰ関節近傍の前記Ｄ2の距離が縮むためであると考察される。【０１０８】
一方、比較例において、各変化量ΔＤ1〜ΔＤ6のうち、踵が８０ｍｍ〜１００ｍｍ上昇した時点での変化量は距離Ｄ3が最も大きいことが分かる。また、前記第２ハトメＨ２3の前方のハトメ間距離Ｄ1，Ｄ2はマイナス側に変位する傾向があるのに対し、前記第２ハトメＨ２3の後方のハトメ間距離Ｄ4〜Ｄ6はプラス側に変位する傾向が強い。したがって、第２ハトメＨ２は、図１の前記第２ハトメＨ２3の部位、つまり第１〜第５中足骨の骨体の部位に設けられるのが最も好ましいであろうと推測される。【０１０９】
一対のサイドパネルに伸縮部を有する図２１Ａ〜図２１Ｃの試験例１〜３の前記変化量の総量ΣΔＤは、アッパーのメインアッパーに伸縮部を有する図２２Ａの試験例４のそれΣΔＤよりも小さいことが分かる。特に、この現象は踵の上昇量Ｈが２０ｍｍ〜８０ｍｍの間において顕著であることが分かる。
その理由について考察する。【０１１０】
図７の状態から図８のように踵が上昇すると、足の甲に舌片４の中央部分が押され、図１の第２ハトメＨ２3間および上方の第１ハトメＨ１5間などが拡がろうとする。この際、サイドパネル５１（５２）の中間部５５が足の周方向に沿って伸びるだけでなく、サイドパネル５１の先端部５３は前後方向Ｙにも移動する。たとえば、図７の第２ハトメＨ２と隣の第１ハトメＨ１との距離Ｄｙ１，Ｄｙ２は、図７と図８の比較から分かるように、それぞれ、屈曲前後において変化している。すなわち、屈曲後にＤｙ２は短くなり、一方、Ｄｙ１は長くなっている。【０１１１】
このように、サイドパネルの先端部５３が前後方向Ｙに移動することにより、図１の第２ハトメＨ２からその隣の第１ハトメＨ１2、第１ハトメＨ１4までの距離が変化する。この前後方向Ｙの距離の変化により、第１ハトメＨ１i間の距離Ｄiの変化も小さくなるものと推測される。【０１１２】
また、試験例１、２もしくは３において変化量の各総量ΣΔＤが試験例４の変化量の総量ΣΔＤに比べ小さい別の理由は、試験例１〜３において第２ハトメが２箇所設けられているのに対し、試験例４において第２ハトメが１箇所であるためであると推測される。【０１１３】
サイドパネルが足の内外側面に接するように設けられた試験例１の変化量の総量ΣΔＤは、サイドパネルがアッパーの袋内に設けられた試験例２，３の変化量の総量ΣΔＤよりも小さい。その理由は試験例１のサイドパネルの方が試験例２の袋内のサイドパネルに比べ前後に動き易い上、足の形状の変化に応じてサイドパネルが直ちに変形し得るからであると推測される。【０１１４】
つぎに、第２ハトメの好ましい数および位置について行った試験を示す。
まず、図２６Ａおよび図２６Ｂに示すアスレチックシューズを用い、シューレースのみを代えて以下に示す試験例１１〜１７を用意した。図２６Ａの靴において、ハトメＨ３１、Ｈ３２の位置は図３の靴の第１ハトメＨ１１、Ｈ１２の位置に相当し、図２６ＡのハトメＨ３５、Ｈ３６の位置は図３の第１ハトメＨ１４、Ｈ１５の位置に相当する。また、図３の第２ハトメＨ２３は図２６ＡのハトメＨ３３、Ｈ３４の間の位置に相当する。なお、前記試験に合わせ、ハトメの使用数を６とした。【０１１５】
図２３Ａ〜図２３Ｇは前記試験例１１〜１７に用いたシューレースを示す概念的な平面図である。これらの平面図において、ハトメＨ３１〜Ｈ３６は全て第１ハトメであり、各ハトメＨ３１〜Ｈ３６間を通常の非伸縮シューレース３１または伸縮性のあるゴム紐様の伸縮シューレース３２を用いて締め付けた。図において、太線は通常の非伸縮シューレース３１を示しており、細い線はゴム紐様の伸縮シューレース３２を示す。【０１１６】
たとえば、試験例１１においては第１ハトメＨ３３−Ｈ３３の間のみを伸縮シューレース３２で締め付け、第１ハトメＨ３１−Ｈ３２の間を非伸縮シューレースで締め付け、第１ハトメＨ３４−Ｈ３６の間を別の非伸縮シューレースで締め付けた。なお、伸縮シューレース３２の伸びは約１５％程度以下に設定した。【０１１７】
伸縮シューレース３２は第１ハトメ間が拡がるのを許容し、したがって、伸縮シューレース３２で連結された第１ハトメの部位は第２ハトメが設けられた場合に近似した挙動を呈すると推測される。かかる推測に基づいて、以下に説明するテストを行った。【０１１８】
試験例１１〜１７の靴を被験者４名が着用し、足の踵を上げた際に、足が靴によって安定して保持されているか否かについて官能テストを行った。
本官能テストの結果は、周知の一対比較（ＡＨＰ）法によって各試験例１１〜１６について評価数値を算出した。この算出結果を図２４の棒グラフに示す。【０１１９】
図２４のグラフから分るように、伸縮シューレース３２をハトメＨ３３および／またはＨ３４にのみ設けた試験例１１，１２および１４は大きい評価数値を示しており、足を安定して保持できることが分る。前記伸縮シューレース３２はハトメ３３およびハトメ３４の双方に設けた場合に比べ、ハトメ３３、３４の一方に設けると、評価数値が高い。したがって、第２ハトメＨ２は片側２個よりも１個の方が足を安定して支持できるだろう。
一方、伸縮シューレース３２をハトメＨ３５に設けた試験例１３，１５および１６は小さい数値を示しており、足を安定して保持できないことが分る。
特に、伸縮シューレース３２を３つのハトメＨ３３−Ｈ３５にわたって設けた場合には、足の保持が不安定になることが分る。【０１２０】
つぎに、各試験例１１，１２，１７，１６の靴のハトメの近傍にマーカーを貼付し、各靴を足に装着し、前述の試験例１〜４と同様に前記距離Ｄ１〜Ｄ６を測定した。その結果を図２５Ａ〜図２５Ｄに示す。
この結果について以下に考察が説明される。【０１２１】
図２５Ａ〜図２５Ｄのグラフから分るように、伸縮シューレース３２をハトメＨ３３またはＨ３４に設けた試験例１１，１２は、伸縮シューレース３２をハトメＨ３５に設けた試験例１７，１６に比べ、ハトメ間距離Ｄ４〜Ｄ６の変化が小さい。
特に、ハトメＨ３３間のみを伸縮シューレース３２で締結した試験例１１は各ハトメ間距離Ｄ１〜Ｄ６の変化が小さい。【０１２２】
ここで、各試験例１１〜１７として用いた図２６Ａおよび図２６Ｂに示すアッパー２の各ハトメＨ３１〜Ｈ３６の足の骨格に対する位置を見ると、ハトメＨ３３，Ｈ３４は前記足の内側において第１趾の中足趾節間関節ＭＰ１よりも後方Ｙ２で、かつ、前記第１趾の中足骨の骨底Ｂ４１Ｂよりも前方Ｙ１の位置に配置され、一方、前記外側において第４趾の中足趾節間関節ＭＰ４よりも後方Ｙ２で、かつ、前記第４趾の中足骨の骨底Ｂ４４ｂよりも前方Ｙ１の位置に配置されている。【０１２３】
したがって、これらの領域にのみ第２ハトメＨ２を設けた場合に足の安定した保持と、足囲の変化に応じたフィット性能が最も高くなるものと推測される。【０１２４】
一方、図２３Ｆのように、３つのハトメＨ３３〜Ｈ３５を伸縮シューレース３２で連結した試験例１６の場合には、図２４および図２５Ｄから分るとおり、ハトメ間距離Ｄ４〜Ｄ６が著しく大きく拡がりすぎて、足を安定して保持することができないことがわかる。したがって、前記特許文献６（Nakano）においてサイドパネルをゴムまたは伸縮布で形成した場合には、足を安定して保持する機能が著しく低下するおそれがあると推測される。【０１２５】
以上のとおり、図面を参照しながら好適な実施例を説明したが、当業者であれば、本明細書を見て、自明な範囲内で種々の変更および修正を容易に想定するであろう。
たとえば、サイドパネルはメインアッパーの外表面に沿って設けられてもよい。また、サイドパネルの伸縮部は足の内側面または外側面の一方にのみ設けられてもよい。【０１２６】
また、一対のサイドパネルを設け、一対のサイドパネルの一方にのみ伸縮部が設けられてもよいし、サイドパネルの位置は前後方向にずらして（斜向いに）配置してもよい。【０１２７】
また、伸縮部を有していないサイドパネルが一対設けられ、かつ、アッパーの前記サイドパネル以外の部分に伸縮部が設けられてもよい。この場合、伸縮部が設けられた第２ハトメが移動するだけでなく、サイドパネルに設けた第１ハトメが前後方向に移動する。【０１２８】
また、第１部はゴム弾性を持つ素材で形成されてもよいし、この場合、前後方向Ｙに直線状に設けられてもよい。また、第１部は必ずしも設ける必要がない。【０１２９】
したがって、そのような変更および修正は、請求の範囲から定まる本発明の範囲内のものと解釈される。
【産業上の利用可能性】
【０１３０】
本発明は靴のアッパーを足にフィットさせるシューレースを備えた靴に適用される。
【符号の説明】
【０１３１】
１：ソール
２：アッパー
２Ｍ：メインアッパー
２ｔ：テープ材
２０：側縁部
２０Ａ：第１側縁部
２０Ｂ：第２側縁部
２１：内側面
２２：外側面
２３：表面材
２４：裏面材
２５：切欠き
２９：収容部
３：シューレース
４：舌片
５：伸縮部
５Ａ：伸縮部
５Ｂ：伸縮部
５０：第１部
５０ａ：補強材
５９：第２部
５１：第１サイドパネル
５２：第２サイドパネル
５３：（サイドパネルの）先端部
５３ａ：ハトメ部材
５３ｂ：ハトメ部材
５４：（サイドパネルの）下端部
５５：（サイドパネルの）中間部
５５ｈ：貫通孔
Ｂ：背面
Ｂ４1 ：第１趾の中足骨
Ｂ４1 ｈ：（第１趾の中足骨の）骨頭
Ｂ４1 ｂ：（第１趾の中足骨の）骨底
Ｂ４5 ：第５趾の中足骨
Ｂ４5 ｈ：（第５趾の中足骨の）骨頭
Ｂ４5 ｂ：（第５趾の中足骨の）骨底
ｆ１：第１趾
ｆ４：第４趾
ｆ５：第５趾
Ｈ１：第１ハトメ
Ｈ２：第２ハトメ
ＩＮ：内側方向
Ｉｓ：甲
ＯＵＴ：外側方向
Ｐ１：（アッパーの）第１開口
Ｐ２：（アッパーの）第２開口
Ｌｅ：脚
ＬＪ：リスフラン関節
ＭＰ：ＭＰ関節
Ｒ：周方向
Ｓ１：（足の）内側面
Ｓ２：（足の）外側面
Ｔ：爪先
Ｙ：前後方向
Ｙ１：前方
Ｙ２：後方
Ｚ１：上方
Ｚ２：下方
【図１】
2011004618.tif 000003
【図２】
2011004618.tif 000004
【図３】
2011004618.tif 000005
【図４】
2011004618.tif 000006
【図５】
2011004618.tif 000007
【図６】
2011004618.tif 000008
【図７】
2011004618.tif 000009
【図８】
2011004618.tif 000010
【図９】
2011004618.tif 000011
【図１０】
2011004618.tif 000012
【図１１】
2011004618.tif 000013
【図１２】
2011004618.tif 000014
【図１３】
2011004618.tif 000015
【図１４】
2011004618.tif 000016
【図１５】
2011004618.tif 000017
【図１６】
2011004618.tif 000018
【図１７】
2011004618.tif 000019
【図１８】
2011004618.tif 000020
【図１９】
2011004618.tif 000021
【図２０】
2011004618.tif 000022
【図２１】
2011004618.tif 000023
【図２２】
2011004618.tif 000024
【図２３】
2011004618.tif 000025
【図２４】
2011004618.tif 000026
【図２５】
2011004618.tif 000027
【図２６】
2011004618.tif 000028
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
紐締めフィッティング構造を備えた靴であって、
着地の衝撃を吸収するソールと、足の甲を包むアッパーと、前記アッパーを足の甲にフィットさせるためのシューレース手段とを有し、
前記アッパーは、着用時に脚が上方に出る第１開口と、前記第１開口の前方に設けられた第２開口とを有しており、前記２つの開口は、前後に互いに連なっており；
前記アッパーは、
足の内側面、外側面、爪先、甲および背面を覆う主部と、
前記第２開口の側縁に沿って設けられ前記シューレース手段が通過すると共に係合する複数の第１ハトメを有する側縁部と、
前記主部の内部または外部の空間において前記内側面に沿って上方ないし斜め上方に向って前記足の内側面を覆う第１サイドパネルと、
前記主部の内部または外部の空間において前記外側面に沿って上方ないし斜め上方に向って前記足の外側面を覆う第２サイドパネルとを備え、ここにおいて、
前記各サイドパネルは、前記サイドパネルの先端に設けられ前記シューレース手段が通過すると共に係合する第２ハトメを有する先端部と、
前記主部および／または前記ソールに付着される下端部と、
前記先端部と前記下端部との間に配置され前記先端部が前記下端部に対して足の前後方向に移動するのを許容する中間部とを備え、
ここにおいて、前記両サイドパネルのうちの少なくとも一方のサイドパネルは、前記先端部から前記下端部までの長さが大きくなるように前記中間部が伸縮し、
ここにおいて、足の前後方向において前記第２ハトメが第１趾の中足趾節間関節から第４趾のリスフラン関節までの間にのみ配置されており、前記第１趾の中足趾節間関節よりも前方および第４趾のリスフラン関節よりも後方には配置されていない。
【請求項２】
請求項１の靴において、前記両サイドパネルの双方において、前記先端部から前記下端部までの長さが大きくなるように前記中間部が伸縮する。
【請求項３】
請求項２の靴において、前記足の内側の第２ハトメが第１趾の中足趾節間関節よりも後方で、かつ、前記第１趾の中足骨の骨底よりも前方の位置にのみ配置され、
前記外側の第２ハトメが第４趾の中足趾節間関節よりも後方で、かつ、前記第４趾の中足骨の骨底よりも前方の位置にのみ配置されている。
【請求項４】
請求項１の靴において、足の内側において前記第２ハトメは１個もしくは２個設けられ、かつ、３個以上設けられておらず、
足の外側において前記第２ハトメは１個もしくは２個設けられ、３個以上設けられていない。
【請求項５】
請求項４の靴において、前記第２ハトメが内側または外側に複数設けられ、前記内側または外側の複数の第２ハトメの間には前記第１ハトメが設けられている。
【請求項６】
紐締めフィッティング構造を備えた靴であって、
着地の衝撃を吸収するソールと、足の甲を包むアッパーと、前記アッパーを足の甲にフィットさせるためのシューレース手段とを有し、
前記アッパーは、着用時に脚が上方に出る第１開口と、前記第１開口の前方に設けられた第２開口とを有しており、前記２つの開口は、前後に互いに連なっており；
前記アッパーは、
足の内側面、外側面、爪先、甲および背面を覆う主部と、
前記第２開口の側縁に沿って設けられ、前記シューレース手段が通過すると共に係合する複数の第１ハトメおよび１以上の第２ハトメをそれぞれ有する第１および第２側縁部とを備え、ここにおいて、
足の屈曲時に前記第２側縁部が前記主部に対して足の周方向、前方および後方に移動できるように、前記両側縁部および主部よりも伸縮し易く、かつ、前記足の屈曲時に前記第２側縁部の少なくとも周方向の近傍において前記足の周方向に伸縮可能で、かつ、前記第２側縁部の前方および後方において前後方向に伸縮可能な状態で配置された伸縮部を介して前記第２側縁部が前記主部に繋がっており、
前記伸縮部よりも伸縮し難い前記主部は足の外側において第５趾のリスフラン関節および中足骨骨底を覆い、前記主部は足の内側において第１趾の中足骨の骨底および／または骨頭を覆っており、
ここにおいて、足の前後方向において前記第２ハトメが第１趾の中足趾節間関節から第４趾のリスフラン関節までの間にのみ配置されており、前記第１趾の中足趾節間関節よりも前方および第４趾のリスフラン関節よりも後方には配置されていない。
【請求項７】
請求項６の靴において、前記１以上の第２ハトメは複数個の第２ハトメからなり、前記第２ハトメが足の内側と外側の前記第２側縁部に各々設けられている。
【請求項８】
請求項７の靴において、前記足の内側の第２ハトメが第１趾の中足趾節間関節よりも後方で、かつ、前記第１趾の中足骨の骨底よりも前方の位置にのみ配置され、
前記外側の第２ハトメが第４趾の中足趾節間関節よりも後方で、かつ、前記第４趾の中足骨の骨底よりも前方の位置にのみ配置されている。
【請求項９】
請求項６の靴において、足の内側において前記第２ハトメは１個もしくは２個設けられ、かつ、３個以上設けられておらず、
足の外側において前記第２ハトメは１個もしくは２個設けられ、かつ、３個以上設けられていない。
【請求項１０】
請求項９の靴において、前記第２ハトメが内側または外側に複数設けられ、前記内側または外側の複数の第２ハトメの間には前記第１ハトメが設けられている。
【請求項１１】
紐締めフィッティング構造を備えた靴であって、
着地の衝撃を吸収するソールと、足の甲を包むアッパーと、前記アッパーを足の甲にフィットさせるためのシューレース手段とを有し、
前記アッパーは、着用時に脚が上方に出る第１開口と、前記第１開口の前方に設けられた第２開口とを有しており、前記２つの開口は、前後に互いに連なっており；
前記アッパーは、
足の内側面、外側面、爪先、甲および背面を覆う主部と、
前記第２開口の側縁に沿って設けられ、前記シューレース手段が通過すると共に係合する複数の第１ハトメおよび１以上の第２ハトメをそれぞれ有する第１および第２側縁部とを備え、ここにおいて、
足の屈曲時に前記第２側縁部が前記主部に対して足の周方向、前方および後方に移動できるように、前記両側縁部および主部よりも伸縮し易く、かつ、前記足の屈曲時に前記第２側縁部の少なくとも周方向の近傍において前記足の周方向に伸縮可能で、かつ、前記第２側縁部の前方および後方において前後方向に伸縮可能な状態で配置された伸縮部を介して前記第２側縁部が前記主部に繋がっており、
前記伸縮部よりも伸縮し難い前記主部は足の外側において第５趾のリスフラン関節および中足骨骨底を覆い、前記主部は足の内側において第１趾の中足骨の骨底および／または骨頭を覆っており、
前記伸縮部は前記第２側縁部を前方、後方および下方から囲んでおり、
前記第２側縁部の前方および後方において前記第２開口の側縁に沿って配置された第１部と、
前記第２側縁部の下方に配置された第２部とを備え、前記第１部が前記第２部よりも伸縮しにくい。
【請求項１２】
請求項１１の靴において、前記第２開口は前記第１部の部位において湾曲しており、前記第１部は前記第２開口に沿って湾曲しており、
ここにおいて、前記湾曲した第１部は直線状に変形することで前記前後方向に伸び、かつ、前記湾曲した第１部の曲率が大きくなることで前記前後方向に縮む。
【請求項１３】
紐締めフィッティング構造を備えた靴であって、
着地の衝撃を吸収するソールと、足の甲を包むアッパーと、前記アッパーを足の甲にフィットさせるためのシューレース手段とを有し、
前記アッパーは、着用時に脚が上方に出る第１開口と、前記第１開口の前方に設けられた第２開口とを有しており、前記２つの開口は、前後に互いに連なっており；
前記アッパーは、
足の内側面、外側面、爪先、甲および背面を覆う主部と、
前記第２開口の側縁に沿って設けられ、前記シューレース手段が通過すると共に係合する複数の第１ハトメおよび１以上の第２ハトメをそれぞれ有する第１および第２側縁部とを備え、ここにおいて、
足の屈曲時に前記第２側縁部が前記主部に対して足の周方向、前方および後方に移動できるように、前記両側縁部および主部よりも伸縮し易く、かつ、前記足の屈曲時に前記第２側縁部の少なくとも周方向の近傍において前記足の周方向に伸縮可能で、かつ、前記第２側縁部の前方および後方において前後方向に伸縮可能な状態で配置された伸縮部を介して前記第２側縁部が前記主部に繋がっており、
前記伸縮部よりも伸縮し難い前記主部は足の外側において第５趾のリスフラン関節および中足骨骨底を覆い、前記主部は足の内側において第１趾の中足骨の骨底および／または骨頭を覆っており、
前記伸縮部は前記足の内側面または外側面の一部を覆い、かつ、前記内側面および外側面において、前記アッパーの主部を横断しておらず、
前記伸縮部の下方において、前記主部における前記伸縮部よりも前方の部位と前記主部における前記伸縮部よりも後方の部位とが前記伸縮部よりも伸縮しにくい部材を介して連なっている。
【国際調査報告】
2011004618.tif 000029
2011004618.tif 000030
2011004618.tif 000031
2011004618.tif 000032
2011004618.tif 000033
2011004618.tif 000034
2011004618.tif 000035
2011004618.tif 000036